(57)【要約】【課題】本発明は実用な通信ネットワーク接続装置を開示した。【解決手段】敲き基板を含み、前記敲き基板の底面に溝が内設され、前記溝の中に敲き板が平滑に係合され、前記溝の上の前記敲き基板の中に第一スライドキャビティが設置され、前記第一スライドキャビティの中に第一スライドブロックが平滑に係合され、前記第一スライドブロックに左右に貫設される第四シュートが内設され、前記第一スライドキャビティの左側内壁の中に左へ延設される先駆キャビティが相通設置され、前記先駆キャビティの中に左右に延設される第一旋回棒が旋回で係合接続され、前記第一旋回棒の左側延伸末端が第一原動機に係合接続され、前記第一原動機の外表面が前記先駆キャビティの左側内壁に内設される且つ固定的に係合接続され、本発明が敲き作業の自動制御を実現し、電気棒の固定安定性を高め、同時に、移動と運輸の安定性を高める。【選択図】図４
2019082102.tif 000002
【特許請求の範囲】
【請求項１】
実用な通信ネットワーク接続装置は、敲き基板を含み、前記敲き基板の底面に溝が内設され、前記溝の中に敲き板が平滑に係合され、前記溝の上の前記敲き基板の中に第一スライドキャビティが設置され、前記第一スライドキャビティの中に第一スライドブロックが平滑に係合され、前記第一スライドブロックに左右に貫設される第四シュートが内設され、前記第一スライドキャビティの左側内壁の中に左へ延設される先駆キャビティが相通設置され、前記先駆キャビティの中に左右に延設される第一旋回棒が旋回で係合接続され、前記第一旋回棒の左側延伸末端が第一原動機に係合接続され、前記第一原動機の外表面が前記先駆キャビティの左側内壁に内設される且つ固定的に係合接続され、前記第一旋回棒の右側延伸部分が前記第四シュートの中に挿入し且つ右側延伸末端が前記第一スライドキャビティの右側内壁に旋回で係合接続され、前記第四シュートの中の前記第一旋回棒の外表面に第一偏向輪が固設され、前記先駆キャビティの中の前記第一旋回棒の外表面に第一段車が固設され、前記第一段車の右側頂部に第二段車が噛合接続され、前記先駆キャビティの上の前記敲き基板に左右に延設される第二スライドキャビティが内設され、前記第二スライドキャビティと前記先駆キャビティとの間の基板の中に上下に延設される第二旋回棒が旋回で係合接続され、前記第二旋回棒の頂部延伸末端が前記第二スライドキャビティの中に挿入し且つ前記第二スライドキャビティの内頂壁と回転で係合接続され、前記第二旋回棒の底部延伸末端が前記先駆キャビティの中に挿入し且つ前記第二段車の頂面と固定接続され、前記第二スライドキャビティの中の前記第二旋回棒の外表面に第二偏転輪が固設され、前記第二偏向輪の右側の前記第二スライドキャビティの中に前記第二偏向輪と係合接続される土斜面敲き装置が設置され、前記第一スライドキャビティの右側の前記敲き基板の中に前記土斜面敲き装置と前記第一スライドブロックに固定ロックで係合接続される固定ロック装置が設置され、前記敲き基板の右側面にランプソケットが固設され、前記ランプソケットの右側面に照明灯が電気接続固設され、前記照明灯の外回りに集光ランプカバーが覆設され、前記敲き基板の底部に収納装置が内設され、前記第一スライドブロックの頂部の前記第一スライドキャビティの中に第一弾力性部品が係合接続され、前記第一スライドキャビティと前記溝の間の前記敲き基板の中に上下に延設される連結棒が平滑に係合され、前記連結棒の頂部延伸末端が前記第一スライドキャビティの中に挿入し且つ前記第一スライドブロックの底面に固定的と係合接続され、前記連結棒の底部延伸末端が前記溝の中に挿入し且つ前記敲き板の頂面と固定係合接続され、前記土斜面敲き装置は前記第二偏向輪の右側の前記第二スライドキャビティの中に平滑に係合設置される押しスライド板と、前記押しスライド板の右側面頂部に固定され且つ右へ延設される押しスライドアームとを含み、前記押しスライド板の右側の前記第二スライドキャビティの中に第二弾力性部品が設置され、前記押しスライドアームの右側部分が前記敲き基板の右側外端面を貫通し且つ末端が前記敲き基板の右側外端面の外部まで伸び出、前記敲き基板の右側外端面の外部まで伸び出る前記押しスライドアームに敲き装置が設置され、前記敲き装置が前記押しスライドアームの右側末端の中に設置される貫通溝と、前記貫通溝の左側の前記押しスライドアームの底面に固定接続される台ブロックとを含み、前記貫通溝の中に下へ延設される支軸が回転で係合接続され、前記支軸の底部延伸末端に土斜面敲き板が固設され、前記台ブロックと前記支軸の隣側の間に圧力調整装置が回転で係合接続され、前記固定ロック装置は前記第一旋回棒の上側の前記第一スライドキャビティの右側内壁に内設される第一シュートと、前記第一シュートの右側内壁に内設され且つ相通設置される第二シュートとを含み、前記第一シュートの中に第一スライドブロックが平滑に係合され、前記第一スライドブロックの左側末端が前記第一スライドキャビティの中に挿入し且つ前記第一スライドキャビティの中の第一スライドブロックの右側面の頂部に固定接続され、前記第一スライドブロックの底部の前記第一シュートの中に右へ延設される第二スライドブロックが平滑に係合され、前記第二スライドブロックの右側延伸末端が前記第二シュートの中に挿入し且つ平滑に係合され、前記第二シュートの中に上下に延設される第一螺旋棒が平滑に係合され、前記第一螺旋棒が前記第二スライドブロックにねじ山で係合接続され、前記第一螺旋棒の底部延伸末端が前記第二シュートの内底壁に回転で係合接続され、前記第一螺旋棒の頂部延伸末端が第二原動機に係合接続され、前記第二原動機の外表面が前記第二シュートの内頂壁の中に設置され且つ固定的に係合接続され、前記第二原動機の頂部に上へ延設される第三シュートが設置され、前記第三シュートの頂部延伸末端が前記押しスライドアームの底面に相通設置され、前記第三シュートの中に第三スライドブロックが平滑に係合され、前記第三スライドブロックの底面内に下へ延設される第二螺旋棒がねじ山で係合接続され、前記第二螺旋棒の底部延伸末端が前記第二原動機の底面に係合接続され、前記収納装置は前記敲き基板の内底部の左側に設置される収納キャビティと、前記収納キャビティに内設される収納戸棚とを含み、前記収納戸棚の底部にスライド運搬輪が設置され、前記スライド運搬輪が前記収納キャビティとスライドで係合接続され、前記収納戸棚の右側面の中央位置に引き押し溝が設置される。
【発明の詳細な説明】
【技術分野】
【０００１】
本発明は通信ネットワーク技術を取り上げて、具体的には実用な通信ネットワーク接続装置である。
【背景技術】
【０００２】
我が国は毎年通信ネットワークの接続を速めるために大量の電線ケーブルを設置する必要があり、強力な風力荷重による電力線路の破壊を避けるために、地質がゆるむ地域では、電気棒の安定性を増やす必要がある。現在は主に地表に穴を掘って電気棒を固定し、掘った土をふたたび埋める後でシャベルを使って地表を敲き、こういうやり方で、時間と人力が浪費され、土層密度は低く、大雨に遭遇すると土基は下がりやすくなり、電気棒が倒れやすく、特に固定効果を強化するために表面の土層を坂に積み上げる場合では、手作業で土層密度が一致になれない。
【先行技術文献】
【特許文献】
【０００３】
【特許文献１】中国特許出願公開第102957761号明細書
【発明の概要】
【発明が解決しようとする課題】
【０００４】
本発明の目的は実用な通信ネットワーク接続装置を提供し、それは上記の現在の技術中の問題を解決できる。
【課題を解決するための手段】
【０００５】
本発明は以下の技術プランを通じて実現する：本発明による実用な通信ネットワーク接続装置は、敲き基板を含み、前記敲き基板の底面に溝が内設され、前記溝の中に敲き板が平滑に係合され、前記溝の上の前記敲き基板の中に第一スライドキャビティが設置され、前記第一スライドキャビティの中に第一スライドブロックが平滑に係合され、前記第一スライドブロックに左右に貫設される第四シュートが内設され、前記第一スライドキャビティの左側内壁の中に左へ延設される先駆キャビティが相通設置され、前記先駆キャビティの中に左右に延設される第一旋回棒が旋回で係合接続され、前記第一旋回棒の左側延伸末端が第一原動機に係合接続され、前記第一原動機の外表面が前記先駆キャビティの左側内壁に内設される且つ固定的に係合接続され、前記第一旋回棒の右側延伸部分が前記第四シュートの中に挿入し且つ右側延伸末端が前記第一スライドキャビティの右側内壁に旋回で係合接続され、前記第四シュートの中の前記第一旋回棒の外表面に第一偏向輪が固設され、前記先駆キャビティの中の前記第一旋回棒の外表面に第一段車が固設され、前記第一段車の右側頂部に第二段車が噛合接続され、前記先駆キャビティの上の前記敲き基板に左右に延設される第二スライドキャビティが内設され、前記第二スライドキャビティと前記先駆キャビティとの間の基板の中に上下に延設される第二旋回棒が旋回で係合接続され、前記第二旋回棒の頂部延伸末端が前記第二スライドキャビティの中に挿入し且つ前記第二スライドキャビティの内頂壁と回転で係合接続され、前記第二旋回棒の底部延伸末端が前記先駆キャビティの中に挿入し且つ前記第二段車の頂面と固定接続され、前記第二スライドキャビティの中の前記第二旋回棒の外表面に第二偏転輪が固設され、前記第二偏向輪の右側の前記第二スライドキャビティの中に前記第二偏向輪と係合接続される土斜面敲き装置が設置され、前記第一スライドキャビティの右側の前記敲き基板の中に前記土斜面敲き装置と前記第一スライドブロックに固定ロックで係合接続される固定ロック装置が設置され、前記敲き基板の右側面にランプソケットが固設され、前記ランプソケットの右側面に照明灯が電気接続固設され、前記照明灯の外回りに集光ランプカバーが覆設され、前記敲き基板の底部に収納装置が内設される。
【０００６】
優選の技術プランとして、前記第一スライドブロックの頂部の前記第一スライドキャビティの中に第一弾力性部品が係合接続される。
【０００７】
優選の技術プランとして、前記第一スライドキャビティと前記溝の間の前記敲き基板の中に上下に延設される連結棒が平滑に係合され、前記連結棒の頂部延伸末端が前記第一スライドキャビティの中に挿入し且つ前記第一スライドブロックの底面に固定的と係合接続され、前記連結棒の底部延伸末端が前記溝の中に挿入し且つ前記敲き板の頂面と固定係合接続される。
【０００８】
優選の技術プランとして、前記土斜面敲き装置は前記第二偏向輪の右側の前記第二スライドキャビティの中に平滑に係合設置される押しスライド板と、前記押しスライド板の右側面頂部に固定され且つ右へ延設される押しスライドアームとを含み、前記押しスライド板の右側の前記第二スライドキャビティの中に第二弾力性部品が設置され、前記押しスライドアームの右側部分が前記敲き基板の右側外端面を貫通し且つ末端が前記敲き基板の右側外端面の外部まで伸び出、前記敲き基板の右側外端面の外部まで伸び出る前記押しスライドアームに敲き装置が設置され、前記敲き装置が前記押しスライドアームの右側末端の中に設置される貫通溝と、前記貫通溝の左側の前記押しスライドアームの底面に固定接続される台ブロックとを含み、前記貫通溝の中に下へ延設される支軸が回転で係合接続され、前記支軸の底部延伸末端に土斜面敲き板が固設され、前記台ブロックと前記支軸の隣側の間に圧力調整装置が回転で係合接続される。
【０００９】
優選の技術プランとして、前記固定ロック装置は前記第一旋回棒の上側の前記第一スライドキャビティの右側内壁に内設される第一シュートと、前記第一シュートの右側内壁に内設され且つ相通設置される第二シュートとを含み、前記第一シュートの中に第一スライドブロックが平滑に係合され、前記第一スライドブロックの左側末端が前記第一スライドキャビティの中に挿入し且つ前記第一スライドキャビティの中の第一スライドブロックの右側面の頂部に固定接続され、前記第一スライドブロックの底部の前記第一シュートの中に右へ延設される第二スライドブロックが平滑に係合され、前記第二スライドブロックの右側延伸末端が前記第二シュートの中に挿入し且つ平滑に係合され、前記第二シュートの中に上下に延設される第一螺旋棒が平滑に係合され、前記第一螺旋棒が前記第二スライドブロックにねじ山で係合接続され、前記第一螺旋棒の底部延伸末端が前記第二シュートの内底壁に回転で係合接続され、前記第一螺旋棒の頂部延伸末端が第二原動機に係合接続され、前記第二原動機の外表面が前記第二シュートの内頂壁の中に設置され且つ固定的に係合接続され、前記第二原動機の頂部に上へ延設される第三シュートが設置され、前記第三シュートの頂部延伸末端が前記押しスライドアームの底面に相通設置され、前記第三シュートの中に第三スライドブロックが平滑に係合され、前記第三スライドブロックの底面内に下へ延設される第二螺旋棒がねじ山で係合接続され、前記第二螺旋棒の底部延伸末端が前記第二原動機の底面に係合接続される。
【００１０】
優選の技術プランとして、，前記収納装置は前記敲き基板の内底部の左側に設置される収納キャビティと、前記収納キャビティに内設される収納戸棚とを含み、前記収納戸棚の底部にスライド運搬輪が設置され、前記スライド運搬輪が前記収納キャビティとスライドで係合接続され、前記収納戸棚の右側面の中央位置に引き押し溝が設置される。
【発明の効果】
【００１１】
本発明の有益な効果は下記の通りである：第一スライドブロックに左右に貫設される第四シュートが内設され、前記第一スライドキャビティの左側内壁の中に左へ延設される先駆キャビティが相通設置され、前記先駆キャビティの中に左右に延設される第一旋回棒が旋回で係合接続され、前記第一旋回棒の左側延伸末端が第一原動機に係合接続され、前記第一原動機の外表面が前記先駆キャビティの左側内壁に内設される且つ固定的に係合接続され、前記第一旋回棒の右側延伸部分が前記第四シュートの中に挿入し且つ右側延伸末端が前記第一スライドキャビティの右側内壁に旋回で係合接続され、前記第四シュートの中の前記第一旋回棒の外表面に第一偏向輪が固設され、前記先駆キャビティの中の前記第一旋回棒の外表面に第一段車が固設され、前記第一段車の右側頂部に第二段車が噛合接続され、前記先駆キャビティの上の前記敲き基板に左右に延設される第二スライドキャビティが内設され、前記第二スライドキャビティと前記先駆キャビティとの間の基板の中に上下に延設される第二旋回棒が旋回で係合接続され、前記第二旋回棒の頂部延伸末端が前記第二スライドキャビティの中に挿入し且つ前記第二スライドキャビティの内頂壁と回転で係合接続され、前記第二旋回棒の底部延伸末端が前記先駆キャビティの中に挿入し且つ前記第二段車の頂面と固定接続され、前記第二スライドキャビティの中の前記第二旋回棒の外表面に第二偏転輪が固設され、前記第二偏向輪の右側の前記第二スライドキャビティの中に前記第二偏向輪と係合接続される土斜面敲き装置が設置され、前記第一スライドキャビティの右側の前記敲き基板の中に前記土斜面敲き装置と前記第一スライドブロックに固定ロックで係合接続される固定ロック装置が設置され、これにより敲き板が土斜面に対する及び土斜面敲き板が土斜面に対する敲き作業の自動制御を実現し、同時に、土斜面敲き装置と前記第一スライドブロックの固定ロック作業の同時制御を実現し、移動と運輸の安定性を高める。
【図面の簡単な説明】
【００１２】
説明しやすいため、本発明は以下の具体的な実施例と付図を交え詳しく説明する。
【００１３】
【図１】図1は本発明の実用な通信ネットワーク接続装置の外部全体構造概略図である。
【図２】図2は本発明の実用な通信ネットワーク接続装置の内部全体構造概略図である。
【図３】図3は本発明の第一スライドブロックの左面図である。
【図４】図4は本発明の実用な通信ネットワーク接続装置の右面図である。
【発明を実施するための形態】
【００１４】
図1~4が示すように、本発明による実用な通信ネットワーク接続装置は、敲き基板6を含み、前記敲き基板6の底面に溝64が内設され、前記溝64の中に敲き板641が平滑に係合され、前記溝64の上の前記敲き基板6の中に第一スライドキャビティ63が設置され、前記第一スライドキャビティ63の中に第一スライドブロック631が平滑に係合され、前記第一スライドブロック631の中に左右に貫設される第四シュート633が設置され、前記第一スライドキャビティ63の左側内壁の中に左へ延設される先駆キャビティ61が相通設置され、前記先駆キャビティ61の中に左右に延設される第一旋回棒610が旋回で係合接続され、前記第一旋回棒610の左側延伸末端が第一原動機612に係合接続され、前記第一原動機612の外表面が前記先駆キャビティ61の左側内壁に内設される且つ固定的に係合接続され、前記第一旋回棒610の右側延伸部分が前記第四シュート633の中に挿入し且つ右側延伸末端が前記第一スライドキャビティ63の右側内壁に旋回で係合接続され、前記第四シュート633の中の前記第一旋回棒610の外表面に第一偏向輪635が固設され、前記先駆キャビティ61の中の前記第一旋回棒610の外表面に第一段車611が固設され、前記第一段車611の右側頂部に第二段車613が噛合接続され、前記先駆キャビティ61の上の前記敲き基板6に左右に延設される第二スライドキャビティ62が内設され、前記第二スライドキャビティ62と前記先駆キャビティ61との間の基板６の中に上下に延設される第二旋回棒621が旋回で係合接続され、前記第二旋回棒621の頂部延伸末端が前記第二スライドキャビティ62の中に挿入し且つ前記第二スライドキャビティ62の内頂壁と回転で係合接続され、前記第二旋回棒621の底部延伸末端が前記先駆キャビティ61の中に挿入し且つ前記第二段車613の頂面と固定接続され、前記第二スライドキャビティ62の中の前記第二旋回棒621の外表面に第二偏転輪622が固設され、前記第二偏向輪622の右側の前記第二スライドキャビティ62の中に前記第二偏向輪622と係合接続される土斜面敲き装置が設置され、前記第一スライドキャビティ63の右側の前記敲き基板6の中に前記土斜面敲き装置と前記第一スライドブロック631と固定ロックで係合接続される固定ロック装置が設置され、前記敲き基板6の右側面にランプソケット601が固設され、前記ランプソケット601の右側面に照明灯602が電気接続固設され、前記照明灯602の外回りに集光ランプカバー603が覆設され、前記敲き基板6の底部に収納装置が内設される。
【００１５】
有益的には、前記第一スライドブロック631の頂部の前記第一スライドキャビティ63の中に第一弾力性部品634が係合接続され、これにより第一スライドブロック631が第一弾力性部品634の上からの圧力を受けて下へスライドし、第一スライドブロック631が連結棒632と、連結棒632の底部の敲き板641とを駆動し土斜面の敲き作業を実現する。
【００１６】
有益的には、前記第一スライドキャビティ63と前記溝64の間の前記敲き基板6の中に上下に延設される連結棒632が平滑に係合され、前記連結棒632の頂部延伸末端が前記第一スライドキャビティ63の中に挿入し且つ前記第一スライドブロック631の底面に固定的と係合接続され、前記連結棒632の底部延伸末端が前記溝64の中に挿入し且つ前記敲き板641の頂面と固定係合接続される。
【００１７】
有益的には、前記土斜面敲き装置は前記第二偏向輪622の右側の前記第二スライドキャビティ62の中に平滑に係合設置される押しスライド板623と、前記押しスライド板623の右側面頂部に固定され且つ右へ延設される押しスライドアーム65とを含み、前記押しスライド板623の右側の前記第二スライドキャビティ62の中に第二弾力性部品624が設置され、前記押しスライドアーム65の右側部分が前記敲き基板6の右側外端面を貫通し且つ末端が前記敲き基板6の右側外端面の外部まで伸び出、前記敲き基板6の右側外端面の外部まで伸び出る前記押しスライドアーム65に敲き装置が設置され、前記敲き装置が前記押しスライドアーム65の右側末端の中に設置される貫通溝650と、前記貫通溝650の左側の前記押しスライドアーム65の底面に固定接続される台ブロック651とを含み、前記貫通溝650の中に下へ延設される支軸652が回転で係合接続され、前記支軸652の底部延伸末端に土斜面敲き板654が固設され、前記台ブロック651と前記支軸652の隣側の間に圧力調整装置653が回転で係合接続され、これにより第二偏向輪622と土斜面敲き装置との圧着スライドして係合することにより土斜面の敲き作業の自動制御を実現し、電気棒の固定安定性を高め、同時に、圧力調整装置653を通じて土斜面敲き板654の敲き角度の調整作業の自動制御を実現する。
【００１８】
有益的には、前記固定ロック装置は前記第一旋回棒610の上側の前記第一スライドキャビティ63の右側内壁に内設される第一シュート66と、前記第一シュート66の右側内壁に内設され且つ相通設置される第二シュート67とを含み、前記第一シュート66の中に第一スライドブロック661が平滑に係合され、前記第一スライドブロック661の左側末端が前記第一スライドキャビティ63の中に挿入し且つ前記第一スライドキャビティ63の中の第一スライドブロック631の右側面の頂部に固定接続され、前記第一スライドブロック661の底部の前記第一シュート66の中に右へ延設される第二スライドブロック672が平滑に係合され、前記第二スライドブロック672の右側延伸末端が前記第二シュート67の中に挿入し且つ平滑に係合され、前記第二シュート67の中に上下に延設される第一螺旋棒671が平滑に係合され、前記第一螺旋棒671が前記第二スライドブロック672にねじ山で係合接続され、前記第一螺旋棒671の底部延伸末端が前記第二シュート67の内底壁に回転で係合接続され、前記第一螺旋棒671の頂部延伸末端が第二原動機673に係合接続され、前記第二原動機673の外表面が前記第二シュート67の内頂壁の中に設置され且つ固定的に係合接続され、前記第二原動機673の頂部に上へ延設される第三シュート68が設置され、前記第三シュート68の頂部延伸末端が前記押しスライドアーム65の底面に相通設置され、前記第三シュート68の中に第三スライドブロック681が平滑に係合され、前記第三スライドブロック681の底面内に下へ延設される第二螺旋棒682がねじ山で係合接続され、前記第二螺旋棒682の底部延伸末端が前記第二原動機673の底面に係合接続され、これにより土斜面敲き装置と前記第一スライドブロック631の固定ロック作業の同時制御を実現し、移動や運輸の安定性を高める。
【００１９】
有益的には、前記収納装置は前記敲き基板6の内底部の左側に設置される収納キャビティ51と、前記収納キャビティ51に内設される収納戸棚52とを含み、前記収納戸棚52の底部にスライド運搬輪53が設置され、前記スライド運搬輪53が前記収納キャビティ51とスライドで係合接続され、前記収納戸棚52の右側面の中央位置に引き押し溝54が設置される。  
【００２０】
初期状態に、第二スライドブロック672が第一シュート66と第二シュート67の中の最底部に位置し、電気棒の固定安定性を高め、同時に、第三スライドブロック681を第三シュート68の中の最底部に位置させる。
【００２１】
敲き作業する時に、第一原動機612を通じて第一旋回棒610を制御し回転させ、電気棒の固定安定性を高め、同時に、第一旋回棒610の上の第一段車611により第二段車613回転させ、第一旋回棒610の上の第一偏向輪635の外表面を第四シュート633の内頂壁に圧着スライドで係合させ、この時、第一スライドブロック631が第一弾力性部品634の上からの圧力を受け、これにより第一スライドブロック631により連結棒632及び連結棒632の底部の敲き板641を連続に土斜面に敲かせ、電気棒の固定安定性を高め、同時に、第二段車613により第二旋回棒621と、第二旋回棒621の上の第二偏向輪622とを回転させ、押しスライド板623が第二弾力性部品624の上からの圧力を受け、これにより押しスライド板623により押しスライドアーム65及び押しスライドアーム65の右側端の敲き装置を連続に土斜面に敲かせ、角度を調整する時、圧力調整装置653に支軸652を駆動させて土斜面敲き板654の角度調整を実現し、敲き作業が終わって運搬しようとする時、この時、第二原動機673により第一螺旋棒671と第二螺旋棒682を回転させ、その上で第一螺旋棒671により第二スライドブロック672を上にスライドさせ、電気棒の固定安定性を高め、同時に、第二螺旋棒682により第三スライドブロック681を上にスライドさせ、電気棒の固定安定性を高め、第二スライドブロック672の駆動のもとで第一スライドブロック661が第一シュート66の中の最頂部位置までスライドし到着すると、同時に、第三スライドブロック681により第三スライドブロック681の頂部末端と押しスライドアーム65の底面とを当接させ、この時、第二原動機673の回転を停止し、敲き基板6を移動すれば良い。  
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2019082102.tif 000003
【図２】
2019082102.tif 000004
【図３】
2019082102.tif 000005
【図４】
2019082102.tif 000006
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
（便利に叙述するために、現在は後文に出る方位を下記の通りに規定する：後文に出る上下左右前後方向は図1本体の投影関係の上下左右前後方向と一致する。）台車を含み、前記台車の底面に取り付け溝が内設され、前記取り付け溝の中に敲き板がスライドできるように接続され、前記取り付け溝の上の前記台車の中に第一スライドキャビティが設置され、前記第一スライドキャビティの中に第一スライドブロックがスライドできるように接続され、前記第一スライドブロックに左右に貫設される第四シュートが内設され、前記第一スライドキャビティの左側内壁の中に左へ延設される先駆キャビティが相通設置され、前記先駆キャビティの中に左右に延設される第一旋回棒が回転できるように接続され、前記第一旋回棒の左側延伸末端が第一原動機に接続され、前記第一原動機の外表面が前記先駆キャビティの左側内壁に内設される且つ固定的に接続され、前記第一旋回棒の右側延伸部分が前記第四シュートの中に挿入し且つ右側延伸末端が前記第一スライドキャビティの右側内壁に回転できるように接続され、前記第四シュートの中の前記第一旋回棒の外表面に第一偏向輪が固設され、前記先駆キャビティの中の前記第一旋回棒の外表面に第一段車が固設され、前記第一段車の右側頂部に第二段車が噛合接続され、前記先駆キャビティの上の前記台車に左右に延設される第二スライドキャビティが内設され、前記第二スライドキャビティと前記先駆キャビティとの間の基板の中に上下に延設される第二旋回棒が回転できるように接続され、前記第二旋回棒の頂部延伸末端が前記第二スライドキャビティの中に挿入し且つ前記第二スライドキャビティの内頂壁と回転で接続され、前記第二旋回棒の底部延伸末端が前記先駆キャビティの中に挿入し且つ前記第二段車の頂面と固定接続され、前記第二スライドキャビティの中の前記第二旋回棒の外表面に第二偏向輪が固設され、前記第二偏向輪の右側の前記第二スライドキャビティの中に前記第二偏向輪と接続される土斜面敲き装置が設置され、前記第一スライドキャビティの右側の前記台車の中に前記土斜面敲き装置と前記第一スライドブロックに固定ロックで接続される固定ロック装置が設置され、前記台車の右側面にランプソケットが固設され、前記ランプソケットの右側面に照明灯が電気接続固設され、前記照明灯の外回りに集光ランプカバーが覆設され、前記台車の底部に収納装置が内設され、前記第一スライドブロックの頂部の前記第一スライドキャビティの中に第一弾力性部品が接続され、前記第一スライドキャビティと前記取り付け溝の間の前記台車の中に上下に延設される連結棒がスライドできるように接続され、前記連結棒の頂部延伸末端が前記第一スライドキャビティの中に挿入し且つ前記第一スライドブロックの底面に固定的と接続され、前記連結棒の底部延伸末端が前記取り付け溝の中に挿入し且つ前記敲き板の頂面と固定接続され、前記土斜面敲き装置は前記第二偏向輪の右側の前記第二スライドキャビティの中にスライドできるように接続設置される押しスライド板と、前記押しスライド板の右側面頂部に固定され且つ右へ延設される押しスライドアームとを含み、前記押しスライド板の右側の前記第二スライドキャビティの中に第二弾力性部品が設��され、前記押しスライドアームの右側部分が前記台車の右側外端面を貫通し且つ末端が前記台車の右側外端面の外部まで伸び出、前記台車の右側外端面の外部まで伸び出る前記押しスライドアームに敲き装置が設置され、前記敲き装置が前記押しスライドアームの右側末端の中に設置される貫通溝と、前記貫通溝の左側の前記押しスライドアームの底面に固定接続される台ブロックとを含み、前記貫通溝の中に下へ延設される支軸が回転で接続され、前記支軸の底部延伸末端に土斜面敲き板が固設され、前記台ブロックと前記支軸の隣側の間に圧力調整装置が回転で接続され、前記固定ロック装置は前記第一旋回棒の上側の前記第一スライドキャビティの右側内壁に内設される第一シュートと、前記第一シュートの右側内壁に内設され且つ相通設置される第二シュートとを含み、前記第一シュートの中に第一スライドブロックがスライドできるように接続され、前記第一スライドブロックの左側末端が前記第一スライドキャビティの中に挿入し且つ前記第一スライドキャビティの中の第一スライドブロックの右側面の頂部に固定接続され、前記第一スライドブロックの底部の前記第一シュートの中に右へ延設される第二スライドブロックがスライドできるように接続され、前記第二スライドブロックの右側延伸末端が前記第二シュートの中に挿入し且つスライドできるように接続され、前記第二シュートの中に上下に延設される第一螺旋棒がスライドできるように接続され、前記第一螺旋棒が前記第二スライドブロックにねじ山で接続され、前記第一螺旋棒の底部延伸末端が前記第二シュートの内底壁に回転で接続され、前記第一螺旋棒の頂部延伸末端が第二原動機に接続され、前記第二原動機の外表面が前記第二シュートの内頂壁の中に設置され且つ固定的に接続され、前記第二原動機の頂部に上へ延設される第三シュートが設置され、前記第三シュートの頂部延伸末端が前記押しスライドアームの底面に相通設置され、前記第三シュートの中に第三スライドブロックがスライドできるように接続され、前記第三スライドブロックの底面内に下へ延設される第二螺旋棒がねじ山で接続され、前記第二螺旋棒の底部延伸末端が前記第二原動機の底面に接続され、前記収納装置は前記台車の内底部の左側に設置される収納キャビティと、前記収納キャビティに内設される収納戸棚とを含み、前記収納戸棚の底部にスライド運搬輪が設置され、前記スライド運搬輪が前記収納キャビティとスライドで接続され、前記収納戸棚の右側面の中央位置に引き押し溝が設置され、
初期状態に、第二スライドブロックが第一シュートと第二シュートの中の最底部に位置し、電気棒の固定安定性を高め、同時に、第三スライドブロックを第三シュートの中の最底部に位置させ、
敲き作業する時に、第一原動機を通じて第一旋回棒を制御し回転させ、電気棒の固定安定性を高め、同時に、第一旋回棒の上の第一段車により第二段車回転させ、第一旋回棒の上の第一偏向輪の外表面を第四シュートの内頂壁に圧着スライドで係合させ、この時、第一スライドブロックが第一弾力性部品の上からの圧力を受け、これにより第一スライドブロックにより連結棒及び連結棒の底部の敲き板を連続に土斜面に敲かせ、電気棒の固定安定性を高め、同時に、第二段車により第二旋回棒と、第二旋回棒の上の第二偏向輪とを回転させ、押しスライド板が第二弾力性部品の上からの圧力を受け、これにより押しスライド板により押しスライドアーム及び押しスライドアームの右側端の敲き装置を連続に土斜面に敲かせ、角度を調整する時、圧力調整装置に支軸を駆動させて土斜面敲き板の角度調整を実現し、敲き作業が終わって運搬しようとする時、この時、第二原動機により第一螺旋棒と第二螺旋棒を回転させ、その上で第一螺旋棒により第二スライドブロックを上にスライドさせ、電気棒の固定安定性を高め、同時に、第二螺旋棒により第三スライドブロックを上にスライドさせ、電気棒の固定安定性を高め、第二スライドブロックの駆動のもとで第一スライドブロックが第一シュートの中の最頂部位置までスライドし到着すると、同時に、第三スライドブロックにより第三スライドブロックの頂部末端と押しスライドアームの底面とを当接させ、この時、第二原動機の回転を停止し、台車を移動すれば良いことを特徴とする通信ネット架設用の土斜面敲き装置。
【手続補正２】
【補正対象書類名】明細書
【補正対象項目名】全文
【補正方法】変更
【補正の内容】
【発明の詳細な説明】
【技術分野】
【０００１】
本発明は通信ネットワーク技術を取り上げて、具体的には通信ネット架設用の土斜面敲き装置である。
【背景技術】
【０００２】
我が国は毎年通信ネットワークの接続を速めるために大量の電線ケーブルを設置する必要があり、強力な風力荷重による電力線路の破壊を避けるために、地質がゆるむ地域では、電気棒の安定性を増やす必要がある。現在は主に地表に穴を掘って電気棒を固定し、掘った土をふたたび埋める後でシャベルを使って地表を敲き、こういうやり方で、時間と人力が浪費され、土層密度は低く、大雨に遭遇すると土基は下がりやすくなり、電気棒が倒れやすく、特に固定効果を強化するために表面の土層を坂に積み上げる場合では、手作業で土層密度が一致になれない。
【先行技術文献】
【特許文献】
【０００３】
【特許文献１】中国特許出願公開第102957761号明細書
【発明の概要】
【発明が解決しようとする課題】
【０００４】
本発明の目的は通信ネット架設用の土斜面敲き装置を提供し、それは上記の現在の技術中の問題を解決できる。
【課題を解決するための手段】
【０００５】
本発明は以下の技術プランを通じて実現する：本発明による通信ネット架設用の土斜面敲き装置は、台車を含み、前記台車の底面に取り付け溝が内設され、前記取り付け溝の中に敲き板がスライドできるように接続され、前記取り付け溝の上の前記台車の中に第一スライドキャビティが設置され、前記第一スライドキャビティの中に第一スライドブロックがスライドできるように接続され、前記第一スライドブロックに左右に貫設される第四シュートが内設され、前記第一スライドキャビティの左側内壁の中に左へ延設される先駆キャビティが相通設置され、前記先駆キャビティの中に左右に延設される第一旋回棒が回転できるように接続され、前記第一旋回棒の左側延伸末端が第一原動機に接続され、前記第一原動機の外表面が前記先駆キャビティの左側内壁に内設される且つ固定的に接続され、前記第一旋回棒の右側延伸部分が前記第四シュートの中に挿入し且つ右側延伸末端が前記第一スライドキャビティの右側内壁に回転できるように接続され、前記第四シュートの中の前記第一旋回棒の外表面に第一偏向輪が固設され、前記先駆キャビティの中の前記第一旋回棒の外表面に第一段車が固設され、前記第一段車の右側頂部に第二段車が噛合接続され、前記先駆キャビティの上の前記台車に左右に延設される第二スライドキャビティが内設され、前記第二スライドキャビティと前記先駆キャビティとの間の基板の中に上下に延設される第二旋回棒が回転できるように接続され、前記第二旋回棒の頂部延伸末端が前記第二スライドキャビティの中に挿入し且つ前記第二スライドキャビティの内頂壁と回転で接続され、前記第二旋回棒の底部延伸末端が前記先駆キャビティの中に挿入し且つ前記第二段車の頂面と固定接続され、前記第二スライドキャビティの中の前記第二旋回棒の外表面に第二偏向輪が固設され、前記第二偏向輪の右側の前記第二スライドキャビティの中に前記第二偏向輪と接続される土斜面敲き装置が設置され、前記第一スライドキャビティの右側の前記台車の中に前記土斜面敲き装置と前記第一スライドブロックに固定ロックで接続される固定ロック装置が設置され、前記台車の右側面にランプソケットが固設され、前記ランプソケットの右側面に照明灯が電気接続固設され、前記照明灯の外回りに集光ランプカバーが覆設され、前記台車の底部に収納装置が内設される。
【０００６】
優選の技術プランとして、前記第一スライドブロックの頂部の前記第一スライドキャビティの中に第一弾力性部品が接続される。
【０００７】
優選の技術プランとして、前記第一スライドキャビティと前記取り付け溝の間の前記台車の中に上下に延設される連結棒がスライドできるように接続され、前記連結棒の頂部延伸末端が前記第一スライドキャビティの中に挿入し且つ前記第一スライドブロックの底面に固定的と接続され、前記連結棒の底部延伸末端が前記取り付け溝の中に挿入し且つ前記敲き板の頂面と固定接続される。
【０００８】
優選の技術プランとして、前記土斜面敲き装置は前記第二偏向輪の右側の前記第二スライドキャビティの中にスライドできるように接続設置される押しスライド板と、前記押しスライド板の右側面頂部に固定され且つ右へ延設される押しスライドアームとを含み、前記押しスライド板の右側の前記第二スライドキャビティの中に第二弾力性部品が設置され、前記押しスライドアームの右側部分が前記台車の右側外端面を貫通し且つ末端が前記台車の右側外端面の外部まで伸び出、前記台車の右側外端面の外部まで伸び出る前記押しスライドアームに敲き装置が設置され、前記敲き装置が前記押しスライドアームの右側末端の中に設置される貫通溝と、前記貫通溝の左側の前記押しスライドアームの底面に固定接続される台ブロックとを含み、前記貫通溝の中に下へ延設される支軸が回転で接続され、前記支軸の底部延伸末端に土斜面敲き板が固設され、前記台ブロックと前記支軸の隣側の間に圧力調整装置が回転で接続される。
【０００９】
優選の技術プランとして、前記固定ロック装置は前記第一旋回棒の上側の前記第一スライドキャビティの右側内壁に内設される第一シュートと、前記第一シュートの右側内壁に内設され且つ相通設置される第二シュートとを含み、前記第一シュートの中に第一スライドブロックがスライドできるように接続され、前記第一スライドブロックの左側末端が前記第一スライドキャビティの中に挿入し且つ前記第一スライドキャビティの中の第一スライドブロックの右側面の頂部に固定接続され、前記第一スライドブロックの底部の前記第一シュートの中に右へ延設される第二スライドブロックがスライドできるように接続され、前記第二スライドブロックの右側延伸末端が前記第二シュートの中に挿入し且つスライドできるように接続され、前記第二シュートの中に上下に延設される第一螺旋棒がスライドできるように接続され、前記第一螺旋棒が前記第二スライドブロックにねじ山で接続され、前記第一螺旋棒の底部延伸末端が前記第二シュートの内底壁に回転で接続され、前記第一螺旋棒の頂部延伸末端が第二原動機に接続され、前記第二原動機の外表面が前記第二シュートの内頂壁の中に設置され且つ固定的に接続され、前記第二原動機の頂部に上へ延設される第三シュートが設置され、前記第三シュートの頂部延伸末端が前記押しスライドアームの底面に相通設置され、前記第三シュートの中に第三スライドブロックがスライドできるように接続され、前記第三スライドブロックの底面内に下へ延設される第二螺旋棒がねじ山で接続され、前記第二螺旋棒の底部延伸末端が前記第二原動機の底面に接続される。
【００１０】
優選の技術プランとして、，前記収納装置は前記台車の内底部の左側に設置される収納キャビティと、前記収納キャビティに内設される収納戸棚とを含み、前記収納戸棚の底部にスライド運搬輪が設置され、前記スライド運搬輪が前記収納キャビティとスライドで接続され、前記収納戸棚の右側面の中央位置に引き押し溝が設置される。
【発明の効果】
【００１１】
本発明の有益な効果は下記の通りである：第一スライドブロックに左右に貫設される第四シュートが内設され、前記第一スライドキャビティの左側内壁の中に左へ延設される先駆キャビティが相通設置され、前記先駆キャビティの中に左右に延設される第一旋回棒が回転できるように接続され、前記第一旋回棒の左側延伸末端が第一原動機に接続され、前記第一原動機の外表面が前記先駆キャビティの左側内壁に内設される且つ固定的に接続され、前記第一旋回棒の右側延伸部分が前記第四シュートの中に挿入し且つ右側延伸末端が前記第一スライドキャビティの右側内壁に回転できるように接続され、前記第四シュートの中の前記第一旋回棒の外表面に第一偏向輪が固設され、前記先駆キャビティの中の前記第一旋回棒の外表面に第一段車が固設され、前記第一段車の右側頂部に第二段車が噛合接続され、前記先駆キャビティの上の前記台車に左右に延設される第二スライドキャビティが内設され、前記第二スライドキャビティと前記先駆キャビティとの間の基板の中に上下に延設される第二旋回棒が回転できるように接続され、前記第二旋回棒の頂部延伸末端が前記第二スライドキャビティの中に挿入し且つ前記第二スライドキャビティの内頂壁と回転で接続され、前記第二旋回棒の底部延伸末端が前記先駆キャビティの中に挿入し且つ前記第二段車の頂面と固定接続され、前記第二スライドキャビティの中の前記第二旋回棒の外表面に第二偏向輪が固設され、前記第二偏向輪の右側の前記第二スライドキャビティの中に前記第二偏向輪と接続される土斜面敲き装置が設置され、前記第一スライドキャビティの右側の前記台車の中に前記土斜面敲き装置と前記第一スライドブロックに固定ロックで接続される固定ロック装置が設置され、これにより敲き板が土斜面に対する及び土斜面敲き板が土斜面に対する敲き作業の自動制御を実現し、同時に、土斜面敲き装置と前記第一スライドブロックの固定ロック作業の同時制御を実現し、移動と運輸の安定性を高める。
【図面の簡単な説明】
【００１２】
説明しやすいため、本発明は以下の具体的な実施例と付図を交え詳しく説明する。
【００１３】
【図１】図1は本発明の通信ネット架設用の土斜面敲き装置の外部全体構造概略図である。
【図２】図2は本発明の通信ネット架設用の土斜面敲き装置の内部全体構造概略図である。
【図３】図3は本発明の第一スライドブロックの左面図である。
【図４】図4は本発明の通信ネット架設用の土斜面敲き装置の右面図である。
【発明を実施するための形態】
【００１４】
以下に図１〜4を交えて本発明について詳しく説明する。便利に叙述するために、現在は後文に出る方位を下記の通りに規定する：後文に出る上下左右前後方向は図1本体の投影関係の上下左右前後方向と一致する。図1~4が示すように、本発明による通信ネット架設用の土斜面敲き装置は、台車6を含み、前記台車6の底面に取り付け溝64が内設され、前記取り付け溝64の中に敲き板641がスライドできるように接続され、前記取り付け溝64の上の前記台車6の中に第一スライドキャビティ63が設置され、前記第一スライドキャビティ63の中に第一スライドブロック631がスライドできるように接続され、前記第一スライドブロック631の中に左右に貫設される第四シュート633が設置され、前記第一スライドキャビティ63の左側内壁の中に左へ延設される先駆キャビティ61が相通設置され、前記先駆キャビティ61の中に左右に延設される第一旋回棒610が回転できるように接続され、前記第一旋回棒610の左側延伸末端が第一原動機612に接続され、前記第一原動機612の外表面が前記先駆キャビティ61の左側内壁に内設される且つ固定的に接続され、前記第一旋回棒610の右側延伸部分が前記第四シュート633の中に挿入し且つ右側延伸末端が前記第一スライドキャビティ63の右側内壁に回転できるように接続され、前記第四シュート633の中の前記第一旋回棒610の外表面に第一偏向輪635が固設され、前記先駆キャビティ61の中の前記第一旋回棒610の外表面に第一段車611が固設され、前記第一段車611の右側頂部に第二段車613が噛合接続され、前記先駆キャビティ61の上の前記台車6に左右に延設される第二スライドキャビティ62が内設され、前記第二スライドキャビティ62と前記先駆キャビティ61との間の基板６の中に上下に延設される第二旋回棒621が回転できるように接続され、前記第二旋回棒621の頂部延伸末端が前記第二スライドキャビティ62の中に挿入し且つ前記第二スライドキャビティ62の内頂壁と回転で接続され、前記第二旋回棒621の底部延伸末端が前記先駆キャビティ61の中に挿入し且つ前記第二段車613の頂面と固定接続され、前記第二スライドキャビティ62の中の前記第二旋回棒621の外表面に第二偏向輪622が固設され、前記第二偏向輪622の右側の前記第二スライドキャビティ62の中に前記第二偏向輪622と接続される土斜面敲き装置が設置され、前記第一スライドキャビティ63の右側の前記台車6の中に前記土斜面敲き装置と前記第一スライドブロック631と固定ロックで接続される固定ロック装置が設置され、前記台車6の右側面にランプソケット601が固設され、前記ランプソケット601の右側面に照明灯602が電気接続固設され、前記照明灯602の外回りに集光ランプカバー603が覆設され、前記台車6の底部に収納装置が内設される。
【００１５】
有益的には、前記第一スライドブロック631の頂部の前記第一スライドキャビティ63の中に第一弾力性部品634が接続され、これにより第一スライドブロック631が第一弾力性部品634の上からの圧力を受けて下へスライドし、第一スライドブロック631が連結棒632と、連結棒632の底部の敲き板641とを駆動し土斜面の敲き作業を実現する。
【００１６】
有益的には、前記第一スライドキャビティ63と前記取り付け溝64の間の前記台車6の中に上下に延設される連結棒632がスライドできるように接続され、前記連結棒632の頂部延伸末端が前記第一スライドキャビティ63の中に挿入し且つ前記第一スライドブロック631の底面に固定的と接続され、前記連結棒632の底部延伸末端が前記取り付け溝64の中に挿入し且つ前記敲き板641の頂面と固定接続される。
【００１７】
有益的には、前記土斜面敲き装置は前記第二偏向輪622の右側の前記第二スライドキャビティ62の中にスライドできるように接続設置される押しスライド板623と、前記押しスライド板623の右側面頂部に固定され且つ右へ延設される押しスライドアーム65とを含み、前記押しスライド板623の右側の前記第二スライドキャビティ62の中に第二弾力性部品624が設置され、前記押しスライドアーム65の右側部分が前記台車6の右側外端面を貫通し且つ末端が前記台車6の右側外端面の外部まで伸び出、前記台車6の右側外端面の外部まで伸び出る前記押しスライドアーム65に敲き装置が設置され、前記敲き装置が前記押しスライドアーム65の右側末端の中に設置される貫通溝650と、前記貫通溝650の左側の前記押しスライドアーム65の底面に固定接続される台ブロック651とを含み、前記貫通溝650の中に下へ延設される支軸652が回転で接続され、前記支軸652の底部延伸末端に土斜面敲き板654が固設され、前記台ブロック651と前記支軸652の隣側の間に圧力調整装置653が回転で接続され、これにより第二偏向輪622と土斜面敲き装置との圧着スライドして係合することにより土斜面の敲き作業の自動制御を実現し、電気棒の固定安定性を高め、同時に、圧力調整装置653を通じて土斜面敲き板654の敲き角度の調整作業の自動制御を実現する。
【００１８】
有益的には、前記固定ロック装置は前記第一旋回棒610の上側の前記第一スライドキャビティ63の右側内壁に内設される第一シュート66と、前記第一シュート66の右側内壁に内設され且つ相通設置される第二シュート67とを含み、前記第一シュート66の中に第一スライドブロック661がスライドできるように接続され、前記第一スライドブロック661の左側末端が前記第一スライドキャビティ63の中に挿入し且つ前記第一スライドキャビティ63の中の第一スライドブロック631の右側面の頂部に固定接続され、前記第一スライドブロック661の底部の前記第一シュート66の中に右へ延設される第二スライドブロック672がスライドできるように接続され、前記第二スライドブロック672の右側延伸末端が前記第二シュート67の中に挿入し且つスライドできるように接続され、前記第二シュート67の中に上下に延設される第一螺旋棒671がスライドできるように接続され、前記第一螺旋棒671が前記第二スライドブロック672にねじ山で接続され、前記第一螺旋棒671の底部延伸末端が前記第二シュート67の内底壁に回転で接続され、前記第一螺旋棒671の頂部延伸末端が第二原動機673に接続され、前記第二原動機673の外表面が前記第二シュート67の内頂壁の中に設置され且つ固定的に接続され、前記第二原動機673の頂部に上へ延設される第三シュート68が設置され、前記第三シュート68の頂部延伸末端が前記押しスライドアーム65の底面に相通設置され、前記第三シュート68の中に第三スライドブロック681がスライドできるように接続され、前記第三スライドブロック681の底面内に下へ延設される第二螺旋棒682がねじ山で接続され、前記第二螺旋棒682の底部延伸末端が前記第二原動機673の底面に接続され、これにより土斜面敲き装置と前記第一スライドブロック631の固定ロック作業の同時制御を実現し、移動や運輸の安定性を高める。
【００１９】
有益的には、前記収納装置は前記台車6の内底部の左側に設置される収納キャビティ51と、前記収納キャビティ51に内設される収納戸棚52とを含み、前記収納戸棚52の底部にスライド運搬輪53が設置され、前記スライド運搬輪53が前記収納キャビティ51とスライドで接続され、前記収納戸棚52の右側面の中央位置に引き押し溝54が設置される。
【００２０】
初期状態に、第二スライドブロック672が第一シュート66と第二シュート67の中の最底部に位置し、電気棒の固定安定性を高め、同時に、第三スライドブロック681を第三シュート68の中の最底部に位置させる。
【００２１】
敲き作業する時に、第一原動機612を通じて第一旋回棒610を制御し回転させ、電気棒の固定安定性を高め、同時に、第一旋回棒610の上の第一段車611により第二段車613回転させ、第一旋回棒610の上の第一偏向輪635の外表面を第四シュート633の内頂壁に圧着スライドで係合させ、この時、第一スライドブロック631が第一弾力性部品634の上からの圧力を受け、これにより第一スライドブロック631により連結棒632及び連結棒632の底部の敲き板641を連続に土斜面に敲かせ、電気棒の固定安定性を高め、同時に、第二段車613により第二旋回棒621と、第二旋回棒621の上の第二偏向輪622とを回転させ、押しスライド板623が第二弾力性部品624の上からの圧力を受け、これにより押しスライド板623により押しスライドアーム65及び押しスライドアーム65の右側端の敲き装置を連続に土斜面に敲かせ、角度を調整する時、圧力調整装置653に支軸652を駆動させて土斜面敲き板654の角度調整を実現し、敲き作業が終わって運搬しようとする時、この時、第二原動機673により第一螺旋棒671と第二螺旋棒682を回転させ、その上で第一螺旋棒671により第二スライドブロック672を上にスライドさせ、電気棒の固定安定性を高め、同時に、第二螺旋棒682により第三スライドブロック681を上にスライドさせ、電気棒の固定安定性を高め、第二スライドブロック672の駆動のもとで第一スライドブロック661が第一シュート66の中の最頂部位置までスライドし到着すると、同時に、第三スライドブロック681により第三スライドブロック681の頂部末端と押しスライドアーム65の底面とを当接させ、この時、第二原動機673の回転を停止し、台車6を移動すれば良い。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。